(57)【要約】      （修正有）【課題】低年齢の子供が安全に遊べるシーソー型揺動遊具を提供する。【解決手段】細長い揺動部材と、支持面に立設されて、前記揺動部材の長手方向中間部に位置する支持部を揺動可能に支持する支柱３と、揺動部材の、支持部に対し一方の端部寄りの部分に立設された一方の取手８と、揺動部材の、支持部に対し他方の端部寄りの部分に立設された他方の取手９と、揺動部材の、一方の取手よりも一方の端部寄りの部分に立設された後方支持部材と、揺動部材の、少なくとも他一方の取手よりも一方の端部寄りの部分の両脇に立設された側方支持部材と、を具えてなる。【選択図】図１
0003187991.tif 000002
【実用新案登録請求の範囲】
【請求項１】
細長い揺動部材と、
支持面に立設されて、前記揺動部材の長手方向中間部に位置する支持部を揺動可能に支持する支柱と、
前記揺動部材の、前記支持部に対し一方の端部寄りの部分に立設された一方の取手と、
前記揺動部材の、前記支持部に対し他方の端部寄りの部分に立設された他方の取手と、
前記揺動部材の、前記一方の取手よりも前記一方の端部寄りの部分に立設された後方支持部材と、
前記揺動部材の、少なくとも前記一方の取手よりも前記一方の端部寄りの部分の両脇に立設された側方支持部材と、
を具えてなるシーソー型揺動遊具。
【請求項２】
前記揺動部材の両脇下に設けられた足挟み部材を具えていることを特徴とする、請求項１記載のシーソー型揺動遊具。
【考案の詳細な説明】
【技術分野】
【０００１】
この考案は、シーソー型揺動遊具に関し、特には、低年齢の子供でも安全に遊べるシーソー型揺動遊具に関するものである。
【背景技術】
【０００２】
シーソー型揺動遊具としては例えば公園等に設置されたシーソーが知られており、従来のシーソーは通常、地面に立設された門型の鉄パイプ等からなる支柱上に、細長い揺動部材としての揺動板の長手方向中間部に位置する支持部を揺動可能に支持し、その揺動板の長手方向両端部上に取手をそれぞれ設けて、その揺動板の両端部に互いに向き合って座った搭乗者としての二人の子供がそれぞれ取手を掴み、地面を蹴る等して勢いをつけて交互に上がったり下がったりして、揺動板を上下に揺動させて遊ぶものである（特許文献１参照）。
【先行技術文献】
【特許文献】
【０００３】
【特許文献１】特開平１１−５７２２３号公報
【考案の開示】
【考案が解決しようとする課題】
【０００４】
ところで、上記従来のシーソーは、同年齢の子供同士で遊ぶ場合は良いが、一方が大人もしくは高年齢の子供で、他方が握力の未ださほど強くない低年齢の子供の場合に、一緒に遊ぼうとすると揺動の勢いで上体が大きく揺れ、取手から手が離れそうになって低年齢の子供が怖い思いをする可能性があるという不都合があった。
【課題を解決するための手段】
【０００５】
この考案は、上記課題を有利に解決することを目的とするものであり、この考案のシーソー型揺動遊具は、細長い揺動部材と、支持面に立設されて、前記揺動部材の長手方向中間部に位置する支持部を揺動可能に支持する支柱と、前記揺動部材の、前記支持部に対し一方の端部寄りの部分に立設された一方の取手と、前記揺動部材の、前記支持部に対し他方の端部寄りの部分に立設された他方の取手と、前記揺動部材の、前記一方の取手よりも前記一方の端部寄りの部分に立設された後方支持部材と、前記揺動部材の、少なくとも前記一方の取手よりも前記一方の端部寄りの部分の両脇に立設された側方支持部材と、を具えてなるものである。
【考案の効果】
【０００６】
かかるこの考案のシーソー型揺動遊具にあっては、地面や床面等の支持面に立設された支柱が、細長い揺動部材の長手方向中間部に位置する支持部を揺動可能に支持しており、その細長い揺動部材の、支持部に対し一方の端部寄りの部分に、そこに立設された取手を掴んで一方の搭乗者が搭乗すると共に、その細長い揺動部材の、支持部に対し他方の端部寄りの部分に、そこに立設された取手を掴んで他方の搭乗者が搭乗すると、一方の搭乗者の上体は、揺動部材の一方の端部寄りの部分に立設された取手と後方支持部材と両脇の側方支持部材とで前後左右から囲まれた状態になる。
【０００７】
従って、この考案のシーソー型揺動遊具によれば、他方の搭乗者である例えば小学生等の高年齢の子供や大人等が支持面を蹴る等で勢いをつけて揺動部材を上下に揺動させている間、一方の搭乗者は取手と後方支持部材と両脇の側方支持部材とで上体を前後左右から囲まれた安全な状態で揺動部材に搭乗していることができるので、一方の搭乗者は、取手を掴む握力のさほど強くない幼稚園児以下等の低年齢の子供あるいは幼児であっても怖い思いをせずに安全にシーソー型揺動遊具で遊ぶことができる。
【０００８】
なお、この考案のシーソー型揺動遊具においては、前記揺動部材の両脇下に設けられた足挟み部材を具えていてもよく、このようにすれば、搭乗者がその足挟み部材を両足で挟んで上体を左右に振れないように安定させることができるので、より安全にシーソー型揺動遊具で遊ぶことができる。
【０００９】
また、この考案のシーソー型揺動遊具においては、前記揺動部材の両脇下に設けられた足乗せ部材を具えていてもよく、このようにすれば、搭乗者がその足乗せ部材上に両足を乗せて上体を前後に動かすことで揺動部材を揺動させることができるので、より安全にシーソー型揺動遊具で遊ぶことができる。
【図面の簡単な説明】
【００１０】
【図１】（ａ），（ｂ），（ｃ），（ｄ）および（ｅ）は、この考案のシーソー型揺動遊具の一実施例の構成を示す平面図、正面図、左側面図、右側面図および下面図である。
【図２】上記実施例のシーソー型揺動遊具の揺動板の支持構造を示す断面図である。
【図３】上記実施例のシーソー型揺動遊具の使用状態を示す説明図である。
【考案を実施するための形態】
【００１１】
以下、この考案の実施の形態を実施例によって、図面に基づき詳細に説明する。ここに、図１（ａ），（ｂ），（ｃ），（ｄ）および（ｅ）は、この考案のシーソー型揺動遊具の一実施例の構成を示す平面図、正面図、左側面図、右側面図および下面図、また図２は、上記実施例のシーソー型揺動遊具の揺動板の支持構造を示す断面図であり、図中、符号１は揺動部材としての揺動板、２はその揺動板１を装着されて支持するこれも揺動部材としての揺動フレーム、３はその揺動フレーム２の長手方向中間部を揺動可能に支持する支柱をそれぞれ示す。
【００１２】
この実施例のシーソー型揺動遊具は、図１（ａ）に示すように、一方の端部としての図では左方の端部に位置する幅広部１ａとそれ以外の部分である幅狭部１ｂとを有する細長い揺動板１を、図２に示すように、その揺動板１に沿って延在する細長い揺動フレーム２の上部に交換可能に装着し、その揺動フレーム２の長手方向略中央部の支持部２ａを、支持面としての地面Ｇ等に立設された角パイプ状の支柱３の上端部で揺動可能に支持している。
【００１３】
ここで、揺動フレーム２は左右２本ずつ上下に位置する４本のアングル材２ｂと、下側の左右２本のアングル材２ｂに渡して固定された底板２ｃとを有しており、支柱３の上端部は、図２に示すように、揺動フレーム２の底板２ｃの長穴２ｄから揺動フレーム２内に挿入され、その支柱３の上端部には、二本のリンク部材４の上端部が各々水平軸線回りに図では左右方向へ揺動可能に支持され、それらのリンク部材４の下端部は、それらのリンク部材４の上端部の間隔よりも広い間隔を互いに空けて各々水平軸線回りに図では左右方向へ揺動可能に揺動フレーム２の下側の左右２本のアングル材２ｂに設けられた支持部２ａに連結されており、これにより二本のリンク部材４は、揺動フレーム２および揺動板１が長手方向へ移動しながら揺動するように揺動フレーム２および揺動板１を支持するマルチリンク機構５を構成している。また二本のリンク部材４の中間部には、支柱３に当接してそれらのリンク部材４の揺動限位置ひいては揺動板１および揺動フレーム２の揺動限位置を特定する弾性体製のストッパ６が設けられている。
【００１４】
揺動フレーム２には、揺動板１および揺動フレーム２の両側部に沿って、搭乗者が両足の間に挟めるようにした、足挟み部材としての足挟み板７が固設されており、この足挟み板７は、揺動板１および揺動フレーム２の長手方向に、揺動板１の幅狭部１ｂの、幅広部１ａ側の端部から他方の端部１ｃの少し先まで延在するとともに、揺動板１から主に下方へ延在し、揺動板１の他方の端部１ｃ付近では、搭乗者の臀部を後方から抑えて滑り落ちを防止するように僅かに上方へ突出している。
【００１５】
揺動板１の、揺動フレーム２の支持部２ａに対し一方の端部寄りの部分である、揺動板１の幅狭部１ｂの幅広部１ａ側の端部の位置には、一方の取手としての略Ｔ字状の取手８が立設され、また、揺動板１の、揺動フレーム２の支持部２ａに対し僅かに他方の端部１ｃ寄りの位置には、他方の取手としてのリング状の取手９が立設され、揺動板１および揺動フレーム２の両側部の足挟み板７の長手方向中央部には、揺動板１上への乗り降り時や揺動中に搭乗者が足を掛けられるように、足乗せ部材としてのステップ１０がそれぞれ突設されている。
【００１６】
揺動板１の幅広部１ａの幅狭部１ｂ側と反対の側（図１（ａ）では左方）の端部である後端には、搭乗者の上体を後方から支持するように、後方支持部材としての背板１１が立設され、また、揺動板１の幅広部１ａの両脇には、搭乗者の上体を両側方から支持するように、側方支持部材としての横板１２が立設されており、ここにおける横板１２は、幅広部１ａの両側端に密接するように、略Ｔ字状の取手８の横長部の両端部にブラケットで固定されるとともに足挟み板７に幅狭部１ｂの側端からの幅広部１ａの側端の突出分の厚さのスペーサを介して固定され、またここにおける背板１１は、幅広部１ａの後端に密接するように、揺動フレーム２の４本のアングル材２ｂの一端部に固定されるとともに、両側部を横板１２にブラケットで固定されている。
【００１７】
そして、揺動フレーム２の４本のアングル材２ｂの他端部には、端板１３が固定され、また略Ｔ字状の取手８の支柱状の下部と横板１２の幅狭部１ｂ側の端部との間には、搭乗者が脚を通して外に出せるように隙間Ｓが設けられている。
【００１８】
図３は、この実施例のシーソー型揺動遊具の使用状態を示す説明図である。この実施例のシーソー型揺動遊具にあっては、地面Ｇに立設された支柱３が、揺動板１および揺動フレーム２の長手方向中間部に位置する支持部２ａを、マルチリンク機構５を介して揺動可能に支持しており、その揺動板１および揺動フレーム２の、支持部２ａに対し一方の端部（図では左方端部）寄りの部分に、そこに立設された取手８を掴んで一方の搭乗者Ｃ１が搭乗し、あるいは大人等に搭乗させてもらうと共に、その揺動板１および揺動フレーム２の、支持部２ａに対し他方の端部（図では右方端部）寄りの部分に、そこに立設された取手９を掴んで他方の搭乗者Ｃ２が搭乗すると、一方の搭乗者Ｃ１の上体は、揺動板１の一方の端部寄りの部分に立設された取手８と背板１１と両脇の横板１２とで前後左右から囲まれた状態になる。
【００１９】
従って、この実施例のシーソー型揺動遊具によれば、他方の搭乗者Ｃ２である例えば小学生等の高年齢の子供や大人等が支持面を蹴る等で勢いをつけて揺動板１および揺動フレーム２を図中矢印で示す如く上下に揺動させている間、一方の搭乗者Ｃ１は取手８と背板１１と両脇の横板１２とで上体を前後左右から囲まれた安全な状態で揺動板１および揺動フレーム２に搭乗していることができるので、一方の搭乗者Ｃ１は、取手８を掴む握力のさほど強くない幼稚園児以下等の低年齢の子供あるいは幼児であっても怖い思いをせずに安全にシーソー型揺動遊具で遊ぶことができる。
【００２０】
しかも、この実施例のシーソー型揺動遊具によれば、揺動板１および揺動フレーム２の両脇下に設けられた足挟み板７を具えていることから、搭乗者Ｃ１，Ｃ２がその足挟み部材７を両足で挟んで上体を左右に振れないように安定させることができるので、より安全にシーソー型揺動遊具で遊ぶことができる。
【００２１】
また、この実施例のシーソー型揺動遊具によれば、揺動板１および揺動フレーム２の両脇下において足挟み板７に設けられたステップ１０を具えていることから、搭乗者Ｃ２がそのステップ１０上に足を乗せて上体を前後に動かすことで揺動板１および揺動フレーム２を揺動させることができるので、より安全にシーソー型揺動遊具で遊ぶことができる。
【００２２】
以上、図示例に基づき説明したが、この考案は上述の例に限定されるものでなく、実用新案登録請求の範囲の記載範囲内で適宜変更することができ、例えば揺動板１と揺動フレーム２とを一体に形成してもよく、その場合に形状を溝状あるいは筒状としても良い。
【００２３】
また、マルチリンク機構５に代えて、通常のシーソーとして一本の支持軸を介して揺動板１および揺動フレーム２を支柱３で支持してもよく、足挟み板７や背板１１や横板１２に代えて、例えばパッド付きのフレームを設けてもよい。
【産業上の利用可能性】
【００２４】
かくしてこの考案のシーソー型揺動遊具によれば、他方の搭乗者である例えば小学生等の高年齢の子供や大人等が支持面を蹴る等で勢いをつけて揺動部材を上下に揺動させている間、一方の搭乗者は取手と後方支持部材と両脇の側方支持部材とで上体を前後左右から囲まれた安全な状態で揺動部材に搭乗していることができるので、一方の搭乗者は、取手を掴む握力のさほど強くない幼稚園児以下等の低年齢の子供あるいは幼児であっても怖い思いをせずに安全にシーソー型揺動遊具で遊ぶことができる。
【符号の説明】
【００２５】
１  揺動板
１ａ  幅広部
１ｂ  幅狭部
１ｃ  他方の端部
２  揺動フレーム
２ａ  支持部
２ｂ  アングル材
２ｃ  底板
２ｄ  長穴
３  支柱
４  リンク部材
５  マルチリンク機構
６  ストッパ
７  足挟み板
８  取手
９  取手
１０  ステップ
１１  背板
１２  横板
１３  端板
Ｇ  地面
Ｓ  隙間
【図１】
0003187991.tif 000003
【図２】
0003187991.tif 000004
【図３】
0003187991.tif 000005